(57)【要約】【課題】金属製のフランジ部が液体によって腐食することを抑制することができる手摺を提供する。【解決手段】本発明は、壁面Ｗに固定される手摺１であって、壁面に対して延びる手摺本体部２と、手摺本体部の端部に接続され且つ壁面に固定される金属製のフランジ部４と、壁面Ｗとフランジ部４との間に設けられ且つフランジ部４への液体の付着を抑制するように液体を誘導する第１液体誘導部１４とを備えていることを特徴とする。【選択図】図４
2019190083.tif 000002
【特許請求の範囲】
【請求項１】
壁面に固定される手摺であって、
上記壁面に対して延びる手摺本体部と、
上記手摺本体部の端部に接続され且つ上記壁面に固定される金属製のフランジ部と、
上記壁面と上記フランジ部との間に設けられ且つ上記フランジ部への液体の付着を抑制するように液体を誘導する第１液体誘導部とを備えていることを特徴とする手摺。
【請求項２】
上記第１液体誘導部は、液体を排出する排出溝を上記壁面側部分に形成するプレートである、請求項１に記載の手摺。
【請求項３】
上記プレートは、凹状の溝もしくは凸状のリブにより、上記排出溝を形成する、請求項２に記載の手摺。
【請求項４】
上記プレートの上記排出溝は、上記プレートを上記壁面に取り付けた状態で、上記排出溝の大部分が下方向きの流路となるように形成されている、請求項３に記載の手摺。
【請求項５】
さらに、上記フランジ部をカバーするフランジカバーを備え、上記フランジカバーは、自身の内側に第２液体誘導部を形成する、請求項１乃至４の何れか１項に記載の手摺。
【請求項６】
上記フランジカバーは、上記フランジ部の半径方向の外側において上記壁面から前方に延びる第１壁部と、上記第１壁部の前方部分から上記手摺本体部に向けて縦方向に延びる第２壁部とを備え、
上記第２液体誘導部は、上記フランジカバーの中心より下方側において上記壁面側に向かう下り傾斜として形成される上記第２壁部の内側面と、上記壁面側に向かう下り傾斜として形成される上記第１壁部の内側面とにより形成されている、請求項５に記載の手摺。
【請求項７】
さらに、上記フランジ部及び上記手摺本体部の上記壁面側の端部をカバーするフランジカバーと、上記フランジカバーと上記手摺本体部との間の隙間をシールするシール部材とを備えている、請求項１乃至６の何れか１項に記載の手摺。
【請求項８】
さらに、上記フランジ部をカバーするフランジカバーを備え、上記プレートの頂部と、上記フランジカバーの頂部とが接している、請求項２乃至４の何れか１項に記載の手摺。
【請求項９】
上記プレートの外周部分は、上記フランジカバーの内周部分と接している、請求項８に記載の手摺。
【発明の詳細な説明】
【技術分野】
【０００１】
本発明は、手摺に係り、特に、壁面に固定される手摺に関する。
【背景技術】
【０００２】
従来から、特許文献１に示すように、ユニットバスや一般浴室等の壁材に設置する手摺が知られている。この手摺は、手摺本体の端部を壁面に対して固定するフランジと、手摺本体を通し且つフランジをカバーする樹脂製の意匠カバーを備えている。
【０００３】
また、特許文献２に示すように、一般住宅や公共施設等の壁面に設けられる手摺が知られている。この手摺は、壁面に当接した状態で固定されるブッシュと、このブッシュが挿入される円筒状の端部を有する手摺バーとを備えている。手摺バーは、円管状のステンレス管と、その外周を覆う塩化ビニルからなる被覆管とで構成されている。
【先行技術文献】
【特許文献】
【０００４】
【特許文献１】特開２０１２−１５８９０２号公報
【特許文献２】特開２００９−１８００４７号公報
【発明の概要】
【発明が解決しようとする課題】
【０００５】
近年、病院や高齢者施設、駅等の公共施設では、感染症予防のため公共施設内の器具類に対して、液体である次亜塩素酸を含む溶液、例えば次亜塩素酸ナトリウム溶液、次亜塩素酸水、そのほかの次亜塩素酸を含む塩素系の消毒薬等（以下「薬液」と称する）を用いた消毒が検討されている。このような薬液は、エタノール溶液よりも多くの感染性病原体に適用可能な強力な消毒薬として機能する。よって、多くの使用者が使用する手摺を、感染症予防のため薬液を用いて消毒したいという要請がある。
一方で、次亜塩素酸に含まれる塩素成分は、器具類の金属部に付着すると金属腐食を起こし、さびの原因となることが知られている。特許文献１に示すような金属のフランジや特許文献２に示すような手摺の金属部分に薬液が付着した場合、金属部分が腐食するという問題があった。
【０００６】
これに対し、特許文献１に示すような手摺や図９に示すような従来の手摺のように、手摺の外観上に金属が露出しないように構成したとしても、手摺の金属製のフランジ部分が腐食するという問題が生じた。図９に示すように、従来の手摺２０１は、例えば、樹脂材により表面を被覆された金属製のパイプ２０８と、このパイプ２０８の端部に溶接され、且つ壁面Ｗに固定される金属製のフランジ２０４と、フランジ２０４および壁取り付け用のねじ（図示せず）を隠す樹脂製のカバー２０６とを備えている。このような手摺２０１を薬液を用いて消毒する場合に、手摺２０１の外観上に金属が露出していない状態であっても、矢印Ｆ３１に示すように、薬液がカバー２０６とパイプ２０８との隙間からカバー２０６内部のフランジ２０４まで流入する場合がある。また、矢印Ｆ３２に示すように、薬液がカバー２０６と壁面Ｗの隙間からカバー２０６内部のフランジ２０４まで流入する場合がある。このように薬液がカバー２０６内部のフランジ２０４まで流入し、薬液が金属製のフランジ２０４を腐食させる問題が生じていた。
【０００７】
そこで、本発明は、上述した従来技術の問題を解決するためになされたものであり、金属製のフランジ部が液体によって腐食することを抑制することができる手摺を提供することを目的としている。
【課題を解決するための手段】
【０００８】
上述した目的を達成するために、本発明は、壁面に固定される手摺であって、上記壁面に対して延びる手摺本体部と、上記手摺本体部の端部に接続され且つ上記壁面に固定される金属製のフランジ部と、上記壁面と上記フランジ部との間に設けられ且つ上記フランジ部への液体の付着を抑制するように液体を誘導する第１液体誘導部とを備えていることを特徴とする。
このように構成された本発明においては、第１液体誘導部が壁面とフランジ部との間に設けられ且つフランジ部への液体の付着を抑制するように液体を誘導する。これにより、手摺に液体がかかる場合に、壁面とフランジ部との間に流入する液体が金属製のフランジ部に付着することを抑制することができる。よって、金属製のフランジ部が液体によって腐食することを抑制することができる。また、例えば手摺を薬液により消毒する場合に、壁面とフランジ部との間に流入する薬液が金属製のフランジ部に付着することを抑制することができる。よって、金属製のフランジ部が薬液によって腐食することを抑制することができる。
【０００９】
本発明において、好ましくは、上記第１液体誘導部は、液体を排出する排出溝を上記壁面側部分に形成するプレートである。
このように構成された本発明においては、第１液体誘導部は、液体を排出する排出溝が壁面側部分に形成されているプレートである。このプレートにより、手摺に液体がかかる場合に、壁面とフランジ部との間に流入する液体が排出溝に沿って排出され金属製のフランジ部に付着することをより抑制することができる。よって、金属製のフランジ部が液体によって腐食することをより抑制することができる。また、例えば手摺を薬液により消毒する場合に、壁面とフランジ部との間に流入する薬液が排出溝に沿って排出され金属製のフランジ部に付着することをより抑制することができる。よって、金属製のフランジ部が薬液によって腐食することをより抑制することができる。
【００１０】
本発明において、好ましくは、上記プレートは、凹状の溝もしくは凸状のリブにより、上記排出溝を形成する。
このように構成された本発明においては、プレートは、凹状の溝もしくは凸状のリブにより、排出溝を形成する。このプレートにより液体を排出溝に沿ってより確実に排出できるので、手摺に液体がかかる場合に、壁面とフランジ部との間に流入する液体が排出溝に沿って排出され金属製のフランジ部に付着することを抑制することができる。よって、金属製のフランジ部が液体によって腐食することをより抑制することができる。また、例えば手摺を薬液により消毒する場合に、壁面とフランジ部との間に流入する薬液が排出溝に沿って排出され、金属製のフランジ部に付着することを抑制することができる。よって、金属製のフランジ部が薬液によって腐食することをより抑制することができる。
【００１１】
本発明において、好ましくは、上記プレートの上記排出溝は、上記プレートを上記壁面に取り付けた状態で、上記排出溝の大部分が下方向きの流路となるように形成されている。
このように構成された本発明においては、プレートの上記排出溝は、上記プレートを上記壁面に取り付けた状態で、液体が上記排出溝内に留まりにくくなるように、上記排出溝の大部分が下方向きの流路となるように形成されている。これにより、液体を排出溝内に残りにくくすることができ且つ排出溝に沿って下方向きに流下させやすくすることができる。
【００１２】
本発明において、好ましくは、さらに、上記フランジ部をカバーするフランジカバーを備え、上記フランジカバーは、自身の内側に第２液体誘導部を形成する。
このように構成された本発明においては、フランジカバーは、自身の内側に第２液体誘導部を形成する。これにより、手摺に液体がかかる場合に、手摺本体部とフランジカバーとの間からフランジカバーの内側に流れ込む液体が金属製のフランジ部に付着することを抑制することができる。よって、金属製のフランジ部が液体によって腐食することを抑制することができる。また、例えば手摺を薬液により消毒する場合に、手摺本体部とフランジカバーとの間からフランジカバーの内側に流れ込む薬液が金属製のフランジ部に付着することを抑制することができる。よって、金属製のフランジ部が薬液によって腐食することを抑制することができる。
【００１３】
本発明において、好ましくは、上記フランジカバーは、上記フランジ部の半径方向の外側において上記壁面から前方に延びる第１壁部と、上記第１壁部の前方部分から上記手摺本体部に向けて縦方向に延びる第２壁部とを備え、上記第２液体誘導部は、上記フランジカバーの中心より下方側において上記壁面側に向かう下り傾斜として形成される上記第２壁部の内側面と、上記壁面側に向かう下り傾斜として形成される上記第１壁部の内側面とにより形成されている。
このように構成された本発明においては、第２液体誘導部の第２壁部の内側面が壁面側に向かう下り傾斜として形成され、且つ第１壁部の内側面が壁面側に向かう下り傾斜として形成される。これにより、フランジカバー内に流入した液体を第２壁部の内側面及び第１壁部の内側面に沿って流下させやすくすることができる。よって、液体が金属製のフランジ部に付着することを抑制しながら排出させることができる。
【００１４】
本発明において、好ましくは、さらに、上記フランジ部及び上記手摺本体部の上記壁面側の端部をカバーするフランジカバーと、上記フランジカバーと上記手摺本体部との間の隙間をシールするシール部材とを備えている。
このように構成された本発明においては、シール部材の比較的簡単な構成により、液体がフランジカバーと手摺本体部との間からフランジカバー内に流入することを抑制することができ、液体が金属製のフランジ部に付着することを抑制することができる。
【００１５】
本発明において、好ましくは、さらに、上記フランジ部をカバーするフランジカバーを備え、上記プレートの頂部と、上記フランジカバーの頂部とが接している。
このように構成された本発明においては、プレートの頂部と、フランジカバーの頂部とが接している。これにより、液体が壁面とフランジカバーの頂部との間に流入する場合に、薬液がフランジカバーの頂部からプレートの頂部に伝わって流れる。よって、薬液がプレートの排出溝に沿って流れ、金属製のフランジ部に付着することをより抑制することができる。
【００１６】
本発明において、好ましくは、上記プレートの外周部分は、上記フランジカバーの内周部分と接している。
このように構成された本発明においては、プレートの外周部分は、フランジカバーの内周部分と接している。これにより、液体が壁面とフランジカバーとの間に流入する場合に、液体がフランジカバーの内周部分からプレートの外周部分に伝わって流れる。よって、液体がプレートの排出溝に沿って流れ、金属製のフランジ部に付着することをより抑制することができる。また、液体がプレートと壁面との間の領域からプレートとフランジカバーとの間のフランジ部が配置されている領域に侵入することを抑制することができる。よって、液体が金属製のフランジ部に付着することをより抑制することができる。
【発明の効果】
【００１７】
本発明の手摺によれば、金属製のフランジ部が液体によって腐食することを抑制することができる。
【図面の簡単な説明】
【００１８】
【図１】本発明の第１実施形態による手摺を示す斜視図である。
【図２】本発明の第１実施形態による手摺の分解斜視図である。
【図３】本発明の第１実施形態による手摺の壁面に固定される部分を拡大した部分拡大断面図である。
【図４】本発明の第１実施形態による手摺を壁面側から見た正面図である。
【図５】本発明の第１実施形態による手摺のプレートを斜め前方側から見た斜視図である。
【図６】本発明の第１実施形態による手摺のプレートを斜め後方側から見た斜視図である。
【図７】本発明の第１実施形態による手摺のフランジカバーを斜め後方側から見た斜視図である。
【図８】本発明の第２実施形態による手摺の壁面に固定される部分を拡大した部分拡大断面図である。
【図９】従来の手摺の壁面に固定される部分を拡大した部分拡大断面図である。
【発明を実施するための形態】
【００１９】
以下、添付図面を参照して、本発明の第１実施形態による手摺の構造について説明する。
図１は本発明の第１実施形態による手摺を示す斜視図であり、図２は本発明の第１実施形態による手摺の分解斜視図であり、図３は本発明の第１実施形態による手摺の壁面に固定される部分を拡大した部分拡大断面図である。図３においてはねじ１２は省略されている。
【００２０】
図１乃至図３に示すように、手摺１は、壁面Ｗに固定される手摺であり、特に、トイレ、洗面台、浴室等の水回り環境に設けられる手摺である。手摺１は、駅、病院、高齢者施設等の感染症対策が必要な公共施設又は家庭用の建物に設けることができる。
【００２１】
手摺１は、壁面Ｗに対して且つ壁面Ｗから延びる手摺本体部２と、手摺本体部２の端部２ａに接続され且つ壁面Ｗに固定される金属製のフランジ部４と、フランジ部４をカバーするフランジカバー６を備えている。
手摺１のフランジ部４から見て手摺本体部２側を前方側とし、フランジ部４から見て壁面Ｗ側を後方側とし、フランジ部４の中心側を内側とし、フランジ部４の中心側に対して半径方向の反対側を外側として説明している。
【００２２】
手摺本体部２は、壁面Ｗの前方側において使用者の握り部分を形成するバー部材８と、バー部材８を樹脂材料により被覆する被覆部１０と、を備えている。
【００２３】
バー部材８は、壁面Ｗに沿って延びる直線部分８ａ及び直線部分８ａに接続され且つ直線部分８ａを支持する継手部分８ｂを備えている。バー部材８の壁面Ｗ側の端部が手摺本体部２の端部２ａを形成している。バー部材８は、円筒状部材であり、金属製、例えばステンレス製のパイプである。バー部材８は、金属製のパイプを曲げるようにして形成され、使用者の荷重に耐える強度や繰り返しの使用に耐える耐性を有している。バー部材８は、ステンレス製であるので、例えば、水、消毒用エタノール溶液、イソプロパノール溶液等に対しては比較的強い耐腐食性を有している。
【００２４】
被覆部１０は、バー部材８を樹脂材料により被覆する。被覆部１０は、バー部材８のうちフランジカバー６より前方側に延びる部分を被覆し、外装部分を形成している。被覆部１０は、バー部材８を保護し、バー部材８の耐腐食性を向上させることができる。
【００２５】
フランジ部４は、つば状に広がる部材である。フランジ部４は、円環状に形成され且つ平板状に形成されるプレート部４ａを備えている。プレート部４ａには、プレート部４ａの内側の内周口部４ｂが形成されている。プレート部４ａには、さらに、フランジ部４を壁面Ｗに固定するねじ１２が挿通される孔４ｃが形成されている。プレート部４ａは、ねじ１２が孔４ｃに挿通されることにより、壁面Ｗに沿う向きに配置された状態で固定される。フランジ部４は、金属製、例えばステンレス製の薄板状部材である。フランジ部４は、ステンレス製であるので、例えば、水、消毒用エタノール溶液、イソプロパノール溶液等に対しては比較的強い耐腐食性を有している。
【００２６】
フランジカバー６は、円筒のキャップ形状に形成されている。フランジカバー６は、フランジ部４の前方側及び半径方向（外周方向）の外側を覆うようなカバーを形成している。フランジカバー６は、手摺本体部２が内側に配置される開口部６ｈを形成している。開口部６ｈは円形に形成されている。フランジカバー６の開口部６ｈと手摺本体部２の被覆部１０との間にはわずかな隙間Ｃが形成されている。フランジカバー６は、樹脂材料により形成されている。
【００２７】
次に、図２乃至図６により、本発明の第１実施形態による手摺のプレートを説明する。
図４は本発明の第１実施形態による手摺を壁面側から見た正面図であり、図５は本発明の第１実施形態による手摺のプレートを斜め前方側から見た斜視図であり、図６は本発明の第１実施形態による手摺のプレートを斜め後方側から見た斜視図である。
【００２８】
手摺１は、さらに、フランジ部４への薬液の付着を抑制するように薬液を誘導する第１液体誘導部であるプレート１４を備えている。プレート１４は、壁面Ｗとフランジ部４との間において壁面Ｗに沿うような向きに設けられている。プレート１４は円環状に形成され且つ平板状に形成される。プレート１４は、薬液を排出する排出溝である排出溝１４ｂを壁面側部分の後面１４ａに形成している。プレート１４は、凹状の溝もしくは凸状のリブにより、排出溝１４ｂを形成する。
薬液は、次亜塩素酸を含む溶液、例えば次亜塩素酸ナトリウム溶液、次亜塩素酸水、そのほかの次亜塩素酸を含む塩素系の消毒薬等である。このような薬液は感染症対策としてエタノール溶液よりも多くの感染性病原体に適用可能な強力な消毒薬として用いられる。本発明の第１実施形態においては、薬液を誘導することを例示しているが、薬液以外の液体、例えば水、塩水に適用されてもよい。
【００２９】
プレート１４の排出溝１４ｂは、プレート１４を壁面Ｗに取り付けた状態で、薬液が排出溝１４ｂ内に留まりにくくなるように、排出溝１４ｂの大部分が下方向きの流路となるように形成されている。排出溝１４ｂは、好ましくは排出溝１４ｂのうち４分の３以上の部分、より好ましくは排出溝１４ｂの概ね全部が下方向きの流路となるように形成されている。プレート１４を壁面Ｗに取り付けた状態のプレート１４の向き（上下、左右、角度の向き）によらず、排出溝１４ｂの各部分の下面が水平よりも下方向きに傾斜する。また、排出溝１４ｂが下り流路から上り流路に折り返すようなトラップ部分を形成しないように形成されている。よって、排出溝１４ｂは薬液を排出溝１４ｂ内に留めにくい構造に形成され、薬液を排出溝１４ｂからプレート１４外に排出しやすくなっている。排出溝１４ｂは、プレート１４が壁面Ｗに取付けられた状態で、概ね全体の流路において薬液が表面張力により排出溝１４ｂを伝わって移動できる程度の流路径を形成している。よって、排出溝１４ｂに流入した薬液は、排出溝１４ｂに沿って下方側に流れ、いずれかの開口部分１４ｅから下方に流出する。開口部分１４ｅは薬液が表面張力により伝わって移動できる流路を形成しながらも排出溝１４ｂがわずかに広がるように形成されている。開口部分１４ｅは、プレート１４の取付ける向きによっては、薬液の入口部分として機能する。
【００３０】
また、プレート１４は、薬液を排出する排出溝である外周排出溝１４ｃを壁面側部分の外周部分１４ｄに形成する。プレート１４の外周排出溝１４ｃは、外周部分１４ｄの外側にわずかな隙間として形成されている。外周排出溝１４ｃは、外周部分１４ｄとフランジカバー６との間に形成される。外周排出溝１４ｃは、プレート１４の外周に沿った円環状の流路を形成している。外周排出溝１４ｃは、プレート１４が壁面Ｗに取付けられた状態で、概ね全体の流路において薬液が表面張力により外周排出溝１４ｃを伝わって移動できる程度の流路径を形成している。よって、フランジカバー６と壁面Ｗとの間から外周排出溝１４ｃに流入した薬液又は排出溝１４ｂの開口部分１４ｅ等を通って外周排出溝１４ｃに流入した薬液は、外周排出溝１４ｃに沿って下方側に流下する。プレート１４の外周部分１４ｄには、フランジカバー６に取付けられる溝部１４ｆが形成されている。プレート１４の外周部分１４ｄは、フランジカバー６の内周部分、例えば後述する係合部６ｇと接している。薬液が壁面Ｗとフランジカバー６との間に流入する場合に、薬液がフランジカバー６の係合部６ｇからプレートの外周部分１４ｄに伝わって流れ、プレート１４の排出溝１４ｂや外周排出溝１４ｃに沿って流れやすくされている。
【００３１】
プレート１４は、プレート１４の頂部１４ｊと、フランジカバー６の頂部６ｊとが接するように取付けられている。プレート１４の頂部１４ｊと、フランジカバー６の頂部６ｊとが接しているので、薬液が壁面Ｗとフランジカバー６の頂部６ｊとの間に流入する場合に、薬液がフランジカバー６の頂部６ｊからプレート１４の頂部１４ｊに伝わって流れ、プレート１４の排出溝１４ｂや外周排出溝１４ｃに沿って流れやすくすることができる。
【００３２】
プレート１４は、プレート１４の前方側にフランジ部４を配置できるようなかかり部１４ｇを形成している。かかり部１４ｇは、プレート１４の前面１４ｈから前方側に延び、フランジ部４をプレート１４より前方側に配置する。よって、フランジ部４を壁面Ｗから離間して且つ壁面Ｗと平行に配置することができる。また、かかり部１４ｇは、フランジ部４をフランジカバー６の下部の第１壁部６ａよりも上方側に離間して配置することができる。よって、下部の第１壁部６ａ上を流れる薬液がフランジ部４に付着しないようにすることができる。
【００３３】
次に、図２、図３及び図７により、本発明の第１実施形態による手摺のフランジカバーを説明する。
図７は本発明の第１実施形態による手摺のフランジカバーを斜め後方側から見た斜視図である。
【００３４】
フランジカバー６は、フランジ部４と共に手摺本体部２のバー部材８の壁面Ｗ側の端部をカバーする。
フランジカバー６は、フランジ部４の半径方向の外側において壁面Ｗから前方に延びる第２液体誘導部である第１壁部６ａと、第１壁部６ａの前方部６ｂから手摺本体部２に向けて縦方向に延びる第２液体誘導部である第２壁部６ｃと、第２壁部６ｃの内側端から後方且つわずかに内側に向けて延びる第２液体誘導部であるフラップ部６ｄと、を備えている。このように、フランジカバー６は、少なくとも第１壁部６ａ及び第２壁部６ｃにより自身の内側に第２液体誘導部を形成する。
【００３５】
第１壁部６ａは、後方側がわずかに広がるような円筒状に形成されている。第１壁部６ａは、フランジカバー６の中心を通る中心軸線Ａより下方側において壁面Ｗ側に向かう下り傾斜として形成される第１壁部６ａの内側面６ｅを形成している。内側面６ｅは、フランジカバー６の下部において前方から後方に向けて下る下り傾斜を形成している。第２液体誘導部は、このような第１壁部６ａの内側面６ｅにより形成されている。
第１壁部６ａには、第１壁部６ａの下流端、すなわち後方端部に、プレート１４の溝部１４ｆと係合する係合部６ｇが形成されている。第１壁部６ａには、係合部６ｇが形成されているが、薬液が第１壁部６ａの内側面６ｅに沿ってその下流端からフランジカバー６の外部に排出されるように形成されている。係合部６ｇは、フランジカバー６の内周の全体又は一部に形成されている。
【００３６】
第２壁部６ｃは、後方側が比較的大きく広がるような円環状に形成されている。第２壁部６ｃは、フランジカバー６の中心を通る中心軸線Ａより下方側において壁面Ｗ側に向かう下り傾斜として形成される第２壁部６ｃの内側面６ｆを形成している。内側面６ｆは、フランジカバー６の中心軸線Ａより下方側において前方から後方に向けて下る下り傾斜を形成している。
【００３７】
フラップ部６ｄは、後方側が縮径されるような円筒状に形成されている。フラップ部６ｄは、その後方側の先端が手摺本体部２の被覆部１０と接するか又は水滴が被覆部１０に沿って通り抜けにくい程度まで被覆部１０に接近するように形成されている。よって、被覆部１０に沿って流入する薬液がフラップ部６ｄに接触し、フラップ部６ｄに沿って下方に流下する。フラップ部６ｄの下部には、薬液が通過できるスリット孔６ｉが形成されている。よって、フラップ部６ｄに沿って流下する薬液をスリット孔６ｉからフランジカバー６の内側の内側面６ｆに沿って流下させることができる。
【００３８】
次に、図２、図３、図４及び図７により、本発明の第１実施形態による手摺の作用を説明する。
使用者が感染症対策として手摺１を薬液を使用して消毒する場合に、使用者は、薬液をスプレー等を使用して手摺１に噴霧する、又は薬液を布等に付着させて手摺１に塗る、又は他の手法により薬液を手摺１にかける等により消毒を実行する。このとき、薬液が、図３において矢印Ｆ１に示すように、壁面Ｗとフランジカバー６との間の隙間からフランジカバー６内に流入する場合がある。また、薬液が、矢印Ｆ２０に示すように、手摺本体部２とフランジカバー６との間の隙間からフランジカバー６内に流入する場合がある。
【００３９】
図３及び図５を参照して、薬液が、矢印Ｆ１に示すように、壁面Ｗとフランジカバー６との間の隙間からフランジカバー６内に流入する場合を説明する。フランジカバー６の頂部６ｊから流入する薬液は、プレート１４の頂部１４ｊに沿って流下し、排出溝１４ｂ又は外周排出溝１４ｃに沿って流れる。外周排出溝１４ｃに流れる薬液は、矢印Ｆ１０に示すように、外周排出溝１４ｃに沿ってプレート１４の下方まで流下する。
【００４０】
排出溝１４ｂに流入する薬液は、表面張力により排出溝１４ｂを伝わって流下する。薬液は、例えば矢印Ｆ２乃至Ｆ４に示すように、排出溝１４ｂに沿って下方側に流れる。排出溝１４ｂは、大部分が下方向きの流路となるように形成されているので、薬液は、排出溝１４ｂの途中に留まりにくく、排出溝１４ｂに沿って下方向きに流下させやすくされている。
排出溝１４ｂは、薬液が矢印Ｆ５乃至Ｆ７に示すようなルートや、矢印Ｆ８に示すようなルートを通ったとしても、大部分が下方向きの流路となるように形成されている。よって、薬液は、排出溝１４ｂの途中に留まりにくく、排出溝１４ｂに沿って下方向きに流下させやすくされている。
薬液は、排出溝１４ｂの開口部分１４ｅから外周排出溝１４ｃに流出する。
プレート１４の下部まで到達した薬液は、矢印Ｆ９に示すように、壁面Ｗとフランジカバー６との間の隙間からフランジカバー６外に排出される。
【００４１】
このように、薬液がプレート１４の壁面Ｗ側において想定された流路を通るように誘導される。よって、薬液がプレート１４を挟んで反対側のフランジ部４側まで到達しにくく、薬液が金属製のフランジ部４に付着することを抑制することができる。
【００４２】
次に、図３及び図７を参照して、薬液が、矢印Ｆ２０に示すように、手摺本体部２とフランジカバー６との間の隙間からフランジカバー６内に流入する場合を説明する。矢印Ｆ２０に示すように、被覆部１０に沿ってフランジカバー６内に流入する薬液は、フラップ部６ｄに接触し、フラップ部６ｄに沿って被覆部１０の外周を下方に流下する。流下した薬液は、矢印Ｆ２１に示すように、フラップ部６ｄの下部のスリット孔６ｉからフランジカバー６の内側面６ｆに沿って流下する。矢印Ｆ２２に示すように、内側面６ｆは、壁面Ｗ側に向かう下り傾斜として形成されているので、薬液は壁面Ｗ側に向かって流下しやすくなっている。また、内側面６ｆの下端から延びる内側面６ｅも、壁面Ｗ側に向かう下り傾斜として形成されるので、矢印Ｆ２３に示すように、薬液は壁面Ｗ側に向かって流下しやすくなっている。このように、フランジカバー６の内側に連続した下り流路が形成されている。薬液は内側面６ｅに沿ってその下流端まで流下する。プレート１４の下部まで到達した薬液は、矢印Ｆ９に示すように、壁面Ｗとフランジカバー６との間の隙間からフランジカバー６外に排出される。
【００４３】
このように、薬液がフランジカバー６内の内側面６ｆ及び内側面６ｅに沿うような想定された流路を通るように誘導される。よって、薬液が内側面６ｆ及び内側面６ｅから離間した位置に配置されるフランジ部４側まで到達しにくく、薬液が金属製のフランジ部４に付着することを抑制することができる。
【００４４】
なお、本実施形態は薬液がフランジ部４に付着することを抑制する。本実施形態は水、消毒用エタノール溶液、イソプロパノール溶液、海水等がフランジ部４に付着することを抑制することもできる。これらの水等がフランジ部４に付着することを抑制することにより、金属製のフランジ部が水等によって腐食することを抑制することができる。
【００４５】
次に、上述した第１実施形態による手摺１による作用効果を説明する。
第１実施形態による手摺１によれば、プレート１４が壁面Ｗとフランジ部４との間に設けられ且つフランジ部４への液体の付着を抑制するように液体を誘導する。これにより、手摺１に液体がかかる場合に、壁面Ｗとフランジ部４との間に流入する液体が金属製のフランジ部４に付着することを抑制することができる。よって、金属製のフランジ部４が液体によって腐食することを抑制することができる。
また、例えば手摺１を薬液により消毒する場合に、壁面Ｗとフランジ部４との間に流入する薬液が金属製のフランジ部４に付着することを抑制することができる。よって、金属製のフランジ部４が薬液によって腐食することを抑制することができる。
【００４６】
また、第１実施形態による手摺１によれば、プレート１４は、液体を排出する排出溝１４ｂ及び／又は外周排出溝１４ｃが壁面Ｗ側部分に形成されているプレートである。このプレート１４により、手摺１に液体がかかる場合に、壁面Ｗとフランジ部４との間に流入する液体が排出溝１４ｂ及び／又は外周排出溝１４ｃに沿って排出され金属製のフランジ部４に付着することをより抑制することができる。よって、金属製のフランジ部４が液体によって腐食することをより抑制することができる。
また、例えば手摺１を薬液により消毒する場合に、壁面Ｗとフランジ部４との間に流入する薬液が排出溝１４ｂ及び／又は外周排出溝１４ｃに沿って排出され金属製のフランジ部４に付着することをより抑制することができる。よって、金属製のフランジ部４が薬液によって腐食することをより抑制することができる。
【００４７】
さらに、第１実施形態による手摺１によれば、プレート１４は、凹状の溝もしくは凸状のリブにより、排出溝１４ｂ及び／又は外周排出溝１４ｃを形成する。このプレート１４により液体を排出溝１４ｂ及び／又は外周排出溝１４ｃに沿ってより確実に排出できるので、手摺１に液体がかかる場合に、壁面Ｗとフランジ部４との間に流入する液体が排出溝１４ｂ及び／又は外周排出溝１４ｃに沿って排出され金属製のフランジ部４に付着することを抑制することができる。よって、金属製のフランジ部４が液体によって腐食することをより抑制することができる。
また、例えば手摺１を薬液により消毒する場合に、壁面Ｗとフランジ部４との間に流入する薬液が排出溝１４ｂ及び／又は外周排出溝１４ｃに沿って排出され、金属製のフランジ部４に付着することを抑制することができる。よって、金属製のフランジ部４が薬液によって腐食することをより抑制することができる。
【００４８】
さらに、第１実施形態による手摺１によれば、プレート１４の排出溝１４ｂ及び／又は外周排出溝１４ｃは、プレート１４を壁面Ｗに取り付けた状態で、液体が排出溝１４ｂ及び／又は外周排出溝１４ｃ内に留まりにくくなるように、排出溝１４ｂ及び／又は外周排出溝１４ｃの大部分が下方向きの流路となるように形成されている。これにより、液体を排出溝１４ｂ及び／又は外周排出溝１４ｃ内に残りにくくすることができ且つ排出溝１４ｂ及び／又は外周排出溝１４ｃに沿って下方向きに流下させやすくすることができる。
【００４９】
さらに、第１実施形態による手摺１によれば、フランジカバー６は、自身の内側に第１壁部６ａ及び第２壁部６ｃを形成する。これにより、手摺１に液体がかかる場合に、手摺本体部２とフランジカバー６との間からフランジカバー６の内側に流れ込む液体が金属製のフランジ部４に付着することを抑制することができる。よって、金属製のフランジ部４が液体によって腐食することを抑制することができる。
また、例えば手摺１を薬液により消毒する場合に、手摺本体部２とフランジカバー６との間からフランジカバー６の内側に流れ込む薬液が金属製のフランジ部４に付着することを抑制することができる。よって、金属製のフランジ部４が薬液によって腐食することを抑制することができる。
【００５０】
さらに、第１実施形態による手摺１によれば、第１壁部６ａ及び第２壁部６ｃの第２壁部の内側面が壁面Ｗ側に向かう下り傾斜として形成され、且つ第１壁部の内側面が壁面Ｗ側に向かう下り傾斜として形成される。これにより、フランジカバー６内に流入した液体を第２壁部６ｃの内側面及び第１壁部６ａの内側面に沿って流下させやすくすることができる。よって、液体が金属製のフランジ部４に付着することを抑制しながら排出させることができる。
【００５１】
さらに、第１実施形態による手摺１によれば、プレート１４の頂部１４ｊと、フランジカバー６の頂部６ｊとが接している。これにより、液体が壁面Ｗとフランジカバー６の頂部６ｊとの間に流入する場合に、薬液がフランジカバー６の頂部６ｊからプレート１４の頂部１４ｊに伝わって流れる。よって、薬液がプレート１４の排出溝１４ｂ及び／又は外周排出溝１４ｃに沿って流れ、金属製のフランジ部４に付着することをより抑制することができる。
【００５２】
さらに、第１実施形態による手摺１によれば、プレート１４の外周部分１４ｄは、フランジカバー６の係合部６ｇと接している。これにより、液体が壁面Ｗとフランジカバー６との間に流入する場合に、液体がフランジカバー６の係合部６ｇからプレート１４の外周部分１４ｄに伝わって流れる。よって、液体がプレート１４の排出溝１４ｂ及び／又は外周排出溝１４ｃに沿って流れ、金属製のフランジ部４に付着することをより抑制することができる。また、液体がプレート１４と壁面Ｗとの間の領域からプレート１４とフランジカバー６との間のフランジ部４が配置されている領域に侵入することを抑制することができる。よって、液体が金属製のフランジ部４に付着することをより抑制することができる。
【００５３】
次に、図８により、本発明の第２実施形態による手摺を説明する。第２実施形態による手摺は、手摺本体部２とフランジカバー６との間の隙間をシールするシール部材を備えている。図８は本発明の第２実施形態による手摺の壁面に固定される部分を拡大した部分拡大断面図である。
第２実施形態による手摺１０１は、上述した第１実施形態による手摺１と構造がほぼ同じであるため、本発明の第２実施形態の第１実施形態とは異なる点のみを説明し、同様な部分については図面に同じ参照符号を付して説明を省略する。
【００５４】
手摺１０１は、フランジ部４及び手摺本体部２のバー部材８の壁面Ｗ側の端部をカバーするフランジカバー１０６を備えている。
フランジカバー１０６は、円筒のキャップ形状に形成されている。フランジカバー１０６は、フランジ部４の前方側及び半径方向（外周方向）の外側を覆うようなカバーを形成している。フランジカバー１０６は、手摺本体部２が内側に配置される開口部１０６ａを形成している。開口部１０６ａは円形に形成されている。フランジカバー１０６は、樹脂材料により形成されている。
【００５５】
手摺１０１は、さらに、フランジカバー１０６の開口部１０６ａと手摺本体部２の被覆部１０との間の隙間をシールするシール部材１０７を備えている。シール部材１０７は、環状に形成されている。シール部材１０７は、パッキン等のゴム製のシール部材である。
【００５６】
本発明の第２実施形態による手摺１０１のプレート１４は、本発明の第１実施形態による手摺１のプレート１４と同じである。また、本発明の第２実施形態による手摺１０１のプレート１４を取り付けるフランジカバー１０６の構造についても、本発明の第１実施形態による手摺１のプレート１４を取り付けるフランジカバー６の構造と同じである。よって、本発明の第２実施形態による手摺１０１のプレート１４は、本発明の第１実施形態による手摺１のプレート１４と同じ構造及び作用を奏するので、構造及び作用の説明を省略する。
【００５７】
一方、本発明の第２実施形態による手摺１０１は、シール部材１０７を備えており、本発明の第２実施形態による手摺１０１のフランジカバー１０６は、本発明の第１実施形態による手摺１のフランジカバー６と異なっている。第２実施形態による手摺１０１は、シール部材１０７が薬液の流入を抑制するので、第１実施形態におけるフランジカバー６の第２液体誘導部が形成されていない。
【００５８】
シール部材１０７は、フランジカバー１０６の開口部１０６ａと手摺本体部２の被覆部１０との間の隙間をシールする。よって、薬液は、被覆部１０とフランジカバー１０６との間の隙間からフランジカバー６内に流入することが抑制される。よって、薬液が金属製のフランジ部４に付着することが抑制される。
【００５９】
さらに、第２実施形態による手摺１０１によれば、シール部材１０７の比較的簡単な構成により、液体がフランジカバー１０６と手摺本体部２との間からフランジカバー１０６内に流入することを抑制することができ、液体が金属製のフランジ部４に付着することを抑制することができる。
【符号の説明】
【００６０】
１        手摺
２        手摺本体部
２ａ      端部
４        フランジ部
４ａ      プレート部
４ｂ      内周口部
４ｃ      孔
６        フランジカバー
６ａ      第１壁部
６ｂ      前方部
６ｃ      第２壁部
６ｄ      フラップ部
６ｅ      内側面
６ｆ      内側面
６ｇ      係合部
６ｈ      開口部
６ｉ      スリット孔
６ｊ      頂部
８        バー部材
８ａ      直線部分
８ｂ      継手部分
１０      被覆部
１４      プレート
１４ａ    後面
１４ｂ    排出溝
１４ｃ    外周排出溝
１４ｄ    外周部分
１４ｅ    開口部分
１４ｆ    溝部
１４ｇ    かかり部
１４ｈ    前面
１４ｊ    頂部
１０１    手摺
１０６    フランジカバー
１０６ａ  開口部
１０７    シール部材
２０１    手摺
２０４    フランジ
２０６    カバー
２０８    パイプ
Ａ        中心軸線
Ｃ        隙間
Ｗ        壁面
【図１】
2019190083.tif 000003
【図２】
2019190083.tif 000004
【図３】
2019190083.tif 000005
【図４】
2019190083.tif 000006
【図５】
2019190083.tif 000007
【図６】
2019190083.tif 000008
【図７】
2019190083.tif 000009
【図８】
2019190083.tif 000010
【図９】
2019190083.tif 000011